(57)【特許請求の範囲】
【請求項１】
モバイル局（ＭＳ）がハンドオーバのためにスキャンするための１つ又は複数の近隣基地局（ＢＳ）候補を決定する方法であって、
前記ＭＳのロケーションに基づいて、１つ又は複数の近くの基地局に関する情報をＢＳ情報データベースから取得することと、
ここにおいて、前記１つ又は複数の近くの基地局に関する情報を前記ＢＳ情報データベースから取得することは、
前記ＢＳ情報データベースにおいて提供される複数の基地局のロケーションと、前記ＭＳのロケーションとの間の距離を計算することと、
前記ＭＳのロケーションとの計算された距離が閾値を下回る、前記複数の基地局のうちの何れかを前記１つ又は複数の近くの基地局にグループ化することと
を含む、
前記情報に基づいて、前記１つ又は複数の近くの基地局を、前記ＭＳがサポートすることができるパラメータを有する１つ又は複数の近隣ＢＳ候補に縮小することと、
前記近隣ＢＳ候補のうちの少なくとも１つをスキャンすることと
を含む方法。
【請求項２】
グローバル・ポジショニング・システム（ＧＰＳ）を用いて前記ＭＳのロケーションを決定することを更に含む、請求項１に記載の方法。
【請求項３】
前記ＭＳのロケーションを決定することは、前記ＭＳの外部のＧＰＳデバイスと通信することを含む、請求項２に記載の方法。
【請求項４】
前記ＭＳのロケーションはＧＰＳ座標を含む、請求項２に記載の方法。
【請求項５】
前記ＢＳ情報データベースは、前記ＭＳ内に格納されるか、ネットワーク・オペレータのデータベース内に格納される、請求項１に記載の方法。
【請求項６】
前記近くの基地局のうちの１つへ前記ＭＳのロケーションを送信することと、
前記近くの基地局のうちの１つからの前記ＢＳ情報データベースを受信することとを更に含む、請求項１に記載の方法。
【請求項７】
ネットワーク・オペレータのＢＳ情報データベースの少なくとも一部を定期的に受信することと、
前記ＭＳの内部で保持される前記ＢＳ情報データベースの少なくとも一部を、前記受信されたネットワーク・オペレータのＢＳ情報データベースを用いて更新することとを更に含む、請求項１に記載の方法。
【請求項８】
前記情報は、前記１つ又は複数の近くの基地局の各々についてのロケーションを含む、請求項１に記載の方法。
【請求項９】
前記ＢＳ情報データベースから取得された情報が前記パラメータを含む、請求項１に記載の方法。
【請求項１０】
前記パラメータは、前記１つ又は複数の近くの基地局の各々について、ＢＳ識別（ＢＳＩＤ）、サブスクリプション特権、周波数、周波数帯域、規格リリース、及びラジオ接続技術（ＲＡＴ）のうちの少なくとも１つを含む、請求項９に記載の方法。
【請求項１１】
モバイル・デバイスのロケーションに基づいて、１つ又は複数の近くの基地局に関する情報を基地局（ＢＳ）情報データベースから取得するためのロジックと、
ここにおいて、前記１つ又は複数の近くの基地局に関する情報を前記ＢＳ情報データベースから取得するためのロジックは、
前記ＢＳ情報データベースにおいて提供される複数の基地局のロケーションと、前記モバイル・デバイスのロケーションとの間の距離を計算するためのロジックと、
前記モバイル・デバイスのロケーションとの計算された距離が閾値を下回る、前記複数の基地局のうちの何れかを前記１つ又は複数の近くの基地局にグループ化するためのロジックと
を備える、
前記情報に基づいて、前記１つ又は複数の近くの基地局を、前記モバイル・デバイスがサポートすることができるパラメータを有する１つ又は複数の近隣ＢＳ候補に縮小するためのロジックと、
前記近隣ＢＳ候補のうちの少なくとも１つをスキャンするためのロジックと
を備えるモバイル・デバイス。
【請求項１２】
グローバル・ポジショニング・システム（ＧＰＳ）を用いて前記モバイル・デバイスのロケーションを決定するためのロジックを更に備える、請求項１１に記載のモバイル・デバイス。
【請求項１３】
前記モバイル・デバイスのロケーションを決定することは、前記モバイル・デバイスの外部のＧＰＳデバイスと通信することを含む、請求項１２に記載のモバイル・デバイス。
【請求項１４】
前記モバイル・デバイスのロケーションはＧＰＳ座標を含む、請求項１２に記載のモバイル・デバイス。
【請求項１５】
前記ＢＳ情報データベースは、前記モバイル・デバイス内に格納されるか、ネットワーク・オペレータのデータベース内に格納される、請求項１１に記載のモバイル・デバイス。
【請求項１６】
前記近くの基地局のうちの１つへ前記モバイル・デバイスのロケーションを送信するように構成された送信機と、
前記近くの基地局のうちの１つからの前記ＢＳ情報データベースを受信するように構成された受信機と
を更に備える、請求項１１に記載のモバイル・デバイス。
【請求項１７】
ネットワーク・オペレータのＢＳ情報データベースの少なくとも一部を定期的に受信するように構成された受信機と、
前記モバイル・デバイスの内部で保持される前記ＢＳ情報データベースの少なくとも一部を、前記受信されたネットワーク・オペレータのＢＳ情報データベースを用いて更新するためのロジックと
を更に備える、請求項１１に記載のモバイル・デバイス。
【請求項１８】
前記情報は、前記１つ又は複数の近くの基地局の各々についてのロケーションを含む、請求項１１に記載のモバイル・デバイス。
【請求項１９】
前記ＢＳ情報データベースから取得された情報が前記パラメータを含む、請求項１１に記載のモバイル・デバイス。
【請求項２０】
前記パラメータは、前記１つ又は複数の近くの基地局の各々について、ＢＳ識別（ＢＳＩＤ）、サブスクリプション特権、周波数、周波数帯域、規格リリース、及びラジオ接続技術（ＲＡＴ）のうちの少なくとも１つを含む、請求項１９に記載のモバイル・デバイス。
【請求項２１】
無線通信のための装置であって、
前記装置のロケーションに基づいて、１つ又は複数の近くの基地局に関する情報を基地局（ＢＳ）情報データベースから取得するための手段と、
ここにおいて、前記１つ又は複数の近くの基地局に関する情報を前記ＢＳ情報データベースから取得するための手段は、
前記ＢＳ情報データベースにおいて提供される複数の基地局のロケーションと、前記装置のロケーションとの間の距離を計算するための手段と、
前記装置のロケーションとの計算された距離が閾値を下回る、前記複数の基地局のうちの何れかを前記１つ又は複数の近くの基地局にグループ化するための手段と
を備える、
前記情報に基づいて、前記１つ又は複数の近くの基地局を、前記装置がサポートすることができる１つ又は複数の近隣ＢＳ候補に縮小するための手段と、
前記近隣ＢＳ候補のうちの少なくとも１つをスキャンするための手段と
を備える装置。
【請求項２２】
グローバル・ポジショニング・システム（ＧＰＳ）を用いて前記装置のロケーションを決定するための手段を更に備える、請求項２１に記載の装置。
【請求項２３】
前記装置のロケーションを決定するための手段は、前記装置の外部のＧＰＳデバイスと通信するための手段を備える、請求項２２に記載の装置。
【請求項２４】
前記装置のロケーションはＧＰＳ座標を含む、請求項２２に記載の装置。
【請求項２５】
前記ＢＳ情報データベースは、前記装置内に格納されるか、ネットワーク・オペレータのデータベース内に格納される、請求項２１に記載の装置。
【請求項２６】
前記近くの基地局のうちの１つへ、前記装置のロケーションを送信するための手段と、
前記近くの基地局のうちの１つからの前記ＢＳ情報データベースを受信するための手段と
を更に備える、請求項２１に記載の装置。
【請求項２７】
ネットワーク・オペレータのＢＳ情報データベースの少なくとも一部を定期的に受信するための手段と、
前記装置の内部で保持される前記ＢＳ情報データベースの少なくとも一部を、前記受信されたネットワーク・オペレータのＢＳ情報データベースを用いて更新するための手段とを更に備える、請求項２１に記載の装置。
【請求項２８】
前記情報は、前記１つ又は複数の近くの基地局の各々についてのロケーションを含む、請求項２１に記載の装置。
【請求項２９】
前記ＢＳ情報データベースから取得された情報がパラメータを含む、請求項２１に記載の装置。
【請求項３０】
前記パラメータは、前記１つ又は複数の近くの基地局の各々について、ＢＳ識別（ＢＳＩＤ）、サブスクリプション特権、周波数、周波数帯域、規格リリース、及びラジオ接続技術（ＲＡＴ）のうちの少なくとも１つを含む、請求項２９に記載の装置。
【請求項３１】
モバイル局（ＭＳ）がスキャン又はハンドオーバするための１つ又は複数の近隣基地局（ＢＳ）候補を決定するための、格納された命令を有するコンピュータ読取可能な記録媒体であって、前記命令は、１つ又は複数のプロセッサによって実行可能であり、前記命令は、
前記ＭＳのロケーションに基づいて、１つ又は複数の近くの基地局に関する情報をＢＳ情報データベースから取得するための命令と、
ここにおいて、前記１つ又は複数の近くの基地局に関する情報を前記ＢＳ情報データベースから取得するための命令は、
前記ＢＳ情報データベースにおいて提供される複数の基地局のロケーションと、前記ＭＳのロケーションとの間の距離を計算するための命令と、
前記ＭＳのロケーションとの計算された距離が閾値を下回る、前記複数の基地局のうちの何れかを前記１つ又は複数の近くの基地局にグループ化するための命令と
を備える、
前記情報に基づいて、前記１つ又は複数の近くの基地局を、前記ＭＳがサポートすることができる１つ又は複数の近隣ＢＳ候補に縮小するための命令と、
前記近隣ＢＳ候補のうちの少なくとも１つをスキャンするための命令と
を備える、コンピュータ読取可能な記録媒体。
【請求項３２】
グローバル・ポジショニング・システム（ＧＰＳ）を用いて前記ＭＳのロケーションを決定するための命令を更に備える、請求項３１に記載のコンピュータ読取可能な記録媒体。
【請求項３３】
前記ＭＳのロケーションを決定するための命令は、前記ＭＳの外部のＧＰＳデバイスと通信するための命令を備える、請求項３２に記載のコンピュータ読取可能な記録媒体。
【請求項３４】
前記ＭＳのロケーションはＧＰＳ座標を備える、請求項３２に記載のコンピュータ読取可能な記録媒体。
【請求項３５】
前記ＢＳ情報データベースは、前記ＭＳ内に格納されるか、ネットワーク・オペレータのデータベース内に格納される、請求項３１に記載のコンピュータ読取可能な記録媒体。
【請求項３６】
前記近くの基地局のうちの１つへ前記ＭＳのロケーションを送信するための命令と、
前記近くの基地局のうちの１つからの前記ＢＳ情報データベースを受信するための命令と
を更に備える、請求項３１に記載のコンピュータ読取可能な記録媒体。
【請求項３７】
ネットワーク・オペレータのＢＳ情報データベースの少なくとも一部を定期的に受信するための命令と、
前記受信されたネットワーク・オペレータのＢＳ情報データベースを用いて、前記ＭＳ内で保持される前記ＢＳ情報データベースの少なくとも一部を更新するための命令とを更に備える、請求項３１に記載のコンピュータ読取可能な記録媒体。
【請求項３８】
前記情報は、前記１つ又は複数の近くの基地局の各々についてのロケーションを含む、請求項３１に記載のコンピュータ読取可能な記録媒体。
【請求項３９】
前記ＢＳ情報データベースから取得された情報がパラメータを含む、請求項３１に記載のコンピュータ読取可能な記録媒体。
【請求項４０】
前記パラメータは、前記１つ又は複数の近くの基地局の各々について、ＢＳ識別（ＢＳＩＤ）、サブスクリプション特権、周波数、周波数帯域、規格リリース、及びラジオ接続技術（ＲＡＴ）のうちの少なくとも１つを含む、請求項３９に記載のコンピュータ読取可能な記録媒体。
【発明の詳細な説明】
【技術分野】
【０００１】
本開示のある実施形態は、一般に、無線通信に関し、特に、モバイル局（ＭＳ）のロケーション及び近隣基地局に関する情報を用いて、ネットワーク・エントリ及び初期化動作、スキャニング動作、及び／又はハンドオーバ動作を支援することに関する。
【発明の概要】
【０００２】
本開示のある実施形態は、一般に、モバイル局（ＭＳ）のロケーション及び近隣基地局に関する情報を用いて、ネットワーク・エントリ及び初期化動作、スキャニング動作、及び／又はハンドオーバ動作を支援することに関する。
【０００３】
本開示のある実施形態は、ＭＳがスキャン又はハンドオーバするための１つ又は複数の近隣基地局（ＢＳ）を決定するための方法を提供する。この方法は、一般に、ＭＳのロケーションに基づいて、１つ又は複数の近くの基地局に関する情報をＢＳ情報データベースから取得することと、その情報に基づいて、１つ又は複数の近くの基地局から１つ又は複数の近隣ＢＳ候補（neighbor BS candidate）を選択することと、近隣ＢＳ候補のうちの少なくとも１つをスキャンすることと、を含む。
【０００４】
本開示のある実施形態は、モバイル・デバイスを提供する。このモバイル・デバイスは、一般に、モバイル・デバイスのロケーションに基づいて、１つ又は複数の近く（nearby）の基地局に関する情報をＢＳ情報データベースから取得するためのロジックと、その情報に基づいて、１つ又は複数の近くの基地局から１つ又は複数の近隣ＢＳ候補を選択するためのロジックと、近隣ＢＳ候補のうちの少なくとも１つをスキャンするためのロジックと、を含む。
【０００５】
本開示のある実施形態は、無線通信のための装置を提供する。この装置は、一般に、装置のロケーションに基づいて、１つ又は複数の近くの基地局に関する情報をＢＳ情報データベースから取得するための手段と、その情報に基づいて、１つ又は複数の近くの基地局から１つ又は複数の近隣ＢＳ候補を選択するための手段と、近隣ＢＳ候補のうちの少なくとも１つをスキャンするための手段と、を含む。
【０００６】
本開示のある実施形態は、ＭＳがスキャン又はハンドオーバするための１つ又は複数の近隣ＢＳ候補を決定するためのコンピュータ・プログラム製品を提供する。コンピュータ・プログラム製品は一般に、１つ又は複数のプロセッサによって実行可能である、格納された命令を有するコンピュータ読取可能媒体を含む。この命令は、一般に、ＭＳのロケーションに基づいて、１つ又は複数の近くの基地局に関する情報をＢＳ情報データベースから取得するための命令と、１つ又は複数の近くの基地局から１つ又は複数の近隣ＢＳ候補を選択するための命令と、近隣ＢＳ候補のうちの少なくとも１つをスキャンするための命令と、を含む。
【０００７】
本開示の上記特徴がより詳細に理解されうるように、上記概要のより詳細な説明が、実施形態を参照することによって提供され、そのうちのいくつかは添付図面において示される。しかし、添付図面は、本開示のある典型的な実施形態のみしか示しておらず、本開示の範囲を限定することは考慮されない。従って、発明の詳細な説明は、他の等しく効果のある実施形態にも適用することができる。
【図面の簡単な説明】
【０００８】
【図１】図１は、本開示のある実施形態に従う無線通信システムの例を示す。
【図２】図２は、本開示のある実施形態に従う無線デバイスにおいて用いられうる様々な構成要素を示す。
【図３】図３は、本開示のある実施形態に従う、直交周波数分割多重及び直交周波数分割多元接続（ＯＦＤＭ／ＯＦＤＭＡ）技術を用いる無線通信システムにおいて用いられうる送信機の例及び受信機の例を示す。
【図４】図４は、本開示のある実施形態に従って、ＢＳ情報データベースから取得された最も近い近隣基地局に関する情報に基づいて、モバイル局（ＭＳ）がスキャン又はハンドオーバするための１つ又は複数の近隣基地局（ＢＳ）候補を決定するための例示的動作のフロー図である。
【図４Ａ】図４Ａは、本開示のある実施形態に従って、ＭＳがスキャン又はハンドオーバするための１つ又は複数の近隣ＢＳ候補を決定するための図４の例示的動作に対応する手段のブロック図である。
【図５】図５は、本開示のある実施形態に従う、ＭＳのロケーション（例えば、グローバル・ポジショニング・システム（ＧＰＳ）座標）を知ることによって少なくとも１つのＢＳに関する情報を取得するためにアクセスされうるＢＳ情報データベースを示す。
【図６】図６は、本開示のある実施形態に従う各ＢＳのためのＢＳ情報の表である。
【図７】図７は、本開示のある実施形態に従って、ＭＳのロケーションを知っている場合又は知らない場合、ＭＳがスキャン又はハンドオーバするための１つ又は複数の近隣ＢＳ候補が選択される移動シナリオを示す。
【図８】図８は、本開示のある実施形態に従って、ＭＳのロケーションを知っている場合又は知らない場合、ＭＳがスキャン又はハンドオーバするための１つ又は複数の近隣ＢＳ候補が選択される移動シナリオを示す。
【図９】図９は、本開示のある実施形態に従って、ＭＳのロケーションを知っている場合又は知らない場合、ＭＳがスキャン又はハンドオーバするための１つ又は複数の近隣ＢＳ候補が選択される移動シナリオを示す。
【図１０】図１０は、本開示のある実施形態に従って、ＭＳのロケーションを知っている場合又は知らない場合、ＭＳがスキャン又はハンドオーバするための１つ又は複数の近隣ＢＳ候補が選択される移動シナリオを示す。
【図１１】図１１は、本開示のある実施形態に従って、ＭＳのロケーションを知っている場合又は知らない場合、ＭＳがスキャン又はハンドオーバするための１つ又は複数の近隣ＢＳ候補が選択される移動シナリオを示す。
【発明の詳細な説明】
【０００９】
ＩＥＥＥ  ８０２．１６の下の直交周波数分割多重（ＯＦＤＭ）無線通信システム及び直交周波数分割多元接続（ＯＦＤＭＡ）無線通信システムは、複数のサブキャリアの周波数の直交性に基づいて、システム内のサービスに登録された無線デバイス（すなわち、モバイル局）と通信するために基地局のネットワークを用い、例えばマルチパス・フェーディング及び干渉に対する耐性のような、広帯域無線通信の数々の技術的利点を達成するように実現することができる。各基地局（ＢＳ）は、モバイル局との間でデータを伝達するラジオ周波数（ＲＦ）信号を送信及び受信する。
【００１０】
例えば、モバイル局（ＭＳ）が、１つの基地局によってカバーされているエリアから出て、別の基地局によってカバーされているエリアに入る場合のような様々な理由により、１つの基地局から別の基地局へ通信サービス（例えば、継続中のコール又はデータ・セッション）を転送するために（ハンドオフとしても知られている）ハンドオーバが実行されうる。ＩＥＥＥ  ８０２．１６ｅ−２００５において、ハード・ハンドオフ（ＨＨＯ）、高速基地局間切替え（ＦＢＳＳ）、及びマクロ・ダイバーシチ・ハンドオーバ（ＭＤＨＯ）の３つのハンドオーバの方法がサポートされている。これらのうち、ＦＢＳＳ及びＭＤＨＯは２つのオプション的な代替例であるが、ＨＨＯをサポートすることは必須である。
【００１１】
ＨＨＯは、１つのＢＳから別のＢＳへの突然の接続の転送を意味する。ハンドオーバの決定は、ＭＳによってなされるか、ＭＳによって報告された測定結果に基づいてＢＳによってなされる。ＭＳは、定期的にＲＦスキャンを行い、近隣の基地局の信号品質を測定することができる。ハンドオーバの決定は、例えば、現在のセルの範囲を超える１つのセルからの信号強度によって生じ、ＭＳは信号フェーディング又は干渉を招くロケーションを変更するか、より高いサービス品質（ＱｏＳ）を要求する。スキャニングは、ＢＳによって割り当てられたスキャニング間隔の間に実行される。これらの間隔の間、ＭＳはまた、初期レンジングをオプションとして実行し、１つ又は複数の近隣基地局と関連を持つことができる。ハンドオーバが決定されると、ＭＳは、ターゲットＢＳのダウンリンク送信との同期化を開始し、スキャニング中に終わっていなければレンジングを実行し、その後、以前のＢＳとの接続を終了することができる。ＢＳに配信されていない任意のプロトコル・データ・ユニット（ＰＤＵ）は、タイマが満了するまで保持されうる。
【００１２】
ＦＢＳＳがサポートされる場合、ＭＳ及びＢＳは、ＭＳとのＦＢＳＳに関連するＢＳのリストを保持する。このセットは、ダイバーシチ（diversity）・セットと称される。ＦＢＳＳでは、ＭＳは、ダイバーシチ・セット内の基地局を継続的にモニタする。ダイバーシチ・セット内のＢＳの中からアンカ（anchor）ＢＳが定められる。ＦＢＳＳにおいて動作する場合、ＭＳは、管理及びトラヒック接続を含むアップリンク・メッセージ及びダウンリンク・メッセージに関して、アンカＢＳとしか通信しない。１つのアンカＢＳから別のＢＳへの遷移（すなわち、ＢＳの切替）は、ダイバーシチ・セット内の別のＢＳが、現在のアンカＢＳよりも良好な信号強度を有する場合、実行することができる。チャネル品質インジケータ・チャネル（ＣＱＩＣＨ）又は明確なハンドオーバ（ＨＯ）シグナリング・メッセージを介してサービス提供ＢＳと通信することによって、アンカ更新手順がイネーブルされる。
【００１３】
ダイバーシチ・セット内で変わりうるアンカＢＳからのデータを送受信するために、ＭＳの決定によって、ＦＢＳＳハンドオーバが開始する。ＭＳは、近隣ＢＳをスキャンし、ダイバーシチ・セット内に含まれるのに適切であるＢＳを選択する。ＭＳは、選択されたＢＳを報告し、ＢＳ及びＭＳはダイバーシチ・セットを更新する。ＭＳは、ダイバーシチ・セット内のＢＳの信号強度を継続的にモニタし、セットから、アンカＢＳとなる１つのＢＳを選択することができる。ＭＳは、選択されたアンカＢＳを、ＣＱＩＣＨ又はＭＳ始点のハンドオーバ要求メッセージにおいて報告することができる。
【００１４】
ＭＤＨＯをサポートするＭＳ及びＢＳの場合、ＭＳ及びＢＳは、ＭＳとのＭＤＨＯに関連するＢＳのダイバーシチ・セットを保持する。ダイバーシチ・セット内のＢＳの中から、アンカＢＳが定められる。動作の標準モードは、単一のＢＳからなるダイバーシチ・セットを用いる特定のケースのＭＤＨＯを参照する。ＭＤＨＯにおいて動作する場合、ＭＳは、ダイバーシチ・セット内の全てのＢＳと、アップリンク及びダウンリンクのユニキャスト・メッセージ及びトラヒックで通信する。
【００１５】
ＭＳが、複数のＢＳからのユニキャスト・メッセージ及びトラヒックを同一の時間間隔で送受信することを決定した場合、ＭＤＨＯが開始する。ダウンリンクＭＤＨＯの場合、ダイバーシチの結合がＭＳで実行されるように、２つ又はそれ以上のＢＳが、ＭＳダウンリンク・データの同期化送信を提供する。アップリンクＭＤＨＯの場合、ＭＳからの送信が複数のＢＳによって受信され、ＢＳで、受信した情報の選択ダイバーシチが実行される。
【００１６】
可能性のあるハンドオーバ候補のスキャニングは、例えばサービス提供しているＢＳの弱い信号強度により行われる場合に加えて、ＭＳが最初にネットワークを取得した場合、又は信号損失後にネットワークを再取得した場合にも実行されうる。ＭＳは、有効なダウンリンク信号を発見するまで、動作のダウンリンク周波数帯域の可能なチャネルをスキャンすることを開始することができる。ＭＳがＢＳからの有効なダウンリンク信号を取得すると、ネットワーク・エントリ手順は、ＩＥＥＥ  ８０２．１６規格において説明されるように、レンジング、基本的な機能のネゴシエーション、及び登録に進むことができる。
【００１７】
本開示のある実施形態は、モバイル局（ＭＳ）のロケーション及び近隣基地局に関する情報を用いて、ネットワーク・エントリ及び初期化動作、スキャニング動作、及び／又はハンドオーバ動作を支援するための方法及び装置を提供する。ＭＳのロケーションは、ＭＳのグローバル・ポジショニング・システム（ＧＰＳ）座標をＭＳ内部で決定することによって、あるいは、例えばＧＰＳデバイスのようなＭＳの外部のデバイスからロケーションを受信することによって確かめられうる。近隣基地局に関する情報は、ＭＳのロケーションに基づいて、基地局（ＢＳ）情報データベースから取得されうる。ＢＳ情報データベースは、ＭＳ内に存在するか、ＭＳ内部のデータベースを更新するために定期的にＭＳにブロードキャストされるか、あるいはネットワーク・オペレータのデータベース内に格納されることができる。ＭＳのロケーション及び近隣ＢＳに関する情報を知ることにより、ネットワーク・エントリ、スキャニング、又はハンドオーバにかかる時間の量を低減することができ、その結果、電力消費を低減し、帯域幅使用効率を改善することができる。
【００１８】
（典型的な無線通信システム）
【００１９】
本明細書において説明される技術は、直交多重化スキームに基づく通信システムを含む様々な広帯域無線通信システムのために用いることができる。そのような通信システムの例は、直交周波数分割多元接続（ＯＦＤＭＡ）システム、単一キャリア周波数分割多元接続（ＳＣ−ＦＤＭＡ）システム等を含む。ＯＦＤＭＡシステムは、システム帯域幅全体を複数の直交サブキャリアに分割する変調技術である直交周波数分割多重（ＯＦＤＭ）を用いる。それらのサブキャリアは、トーン、ビン等とも称されうる。ＯＦＤＭの場合、各サブキャリアは、個々にデータを用いて変調されうる。ＳＣ−ＦＤＭＡシステムは、システム帯域幅に散在するサブキャリアで送信するためにインタリーブされたＦＤＭＡ（ＩＦＤＭＡ）を用い、隣接するサブキャリアのブロックで送信するために局所化（localized）ＦＤＭＡ（ＬＦＤＭＡ）を用い、あるいは隣接するサブキャリアの複数のブロックで送信するためにエンハンスドＦＤＭＡ（ＥＦＤＭＡ）を用いることができる。一般に変調シンボルは、ＯＦＤＭの場合は周波数領域で、ＳＣ−ＦＤＭＡの場合は時間領域で送信される。
【００２０】
直交多重化スキームに基づく通信システムの１つの例は、ＷｉＭＡＸシステムである。マイクロウエーブ・アクセスのためのワールドワイド相互運用（the Worldwide Interoperability for Microwave Access）を代表するＷｉＭＡＸは、長距離にわたる高いスループットのブロードバンド接続を提供するスタンダード・ベースのブロードキャスト無線技術である。今日ＷｉＭＡＸには、２つの主要なアプリケーションである固定ＷｉＭＡＸ及びモバイルＷｉＭＡＸがある。固定ＷｉＭＡＸアプリケーションは、ポイント対マルチポイントであり、例えば家庭やビジネスへのブロードバンド・アクセスを可能にする。モバイルＷｉＭＡＸは、ＯＦＤＭ及びＯＦＤＭＡに基づいており、ブロードバンド速度でセルラ・ネットワークの最大限の移動性を提供する。
【００２１】
ＩＥＥＥ８０２．１６ｘは、固定及びモバイルのブロードバンド無線接続（ＢＷＡ）システムのためのエア・インタフェースを定めるための新たな規格機構である。これらの規格は、少なくとも４つの異なる物理層（ＰＨＹ）及び１つの媒体アクセス制御（ＭＡＣ）層を定める。４つの物理層のうちＯＦＤＭ物理層及びＯＦＤＭＡ物理層は、固定及びモバイルのＢＷＡエリアにおいてそれぞれ最も普及している。
【００２２】
図１は、本開示の実施形態が用いられうる無線通信システム１００の例を示す。無線通信システム１００は、ブロードバンド無線通信システムであることができる。無線通信システム１００は、各々が基地局１０４によってサービス提供される複数のセル１０２のための通信を提供することができる。基地局１０４は、ユーザ端末１０６と通信する固定局であることができる。あるいは基地局１０４は、アクセス・ポイント、ノードＢ、又は他の何らかの用語として称されうる。
【００２３】
図１は、システム１００内に散在する様々なユーザ端末１０６を示す。ユーザ端末１０６は、固定（すなわち、動かない）又はモバイルであることができる。ユーザ端末１０６は、遠隔局、アクセス端末、端末、加入者ユニット、モバイル局、局、ユーザ装置等とも称されうる。ユーザ端末１０６は、例えばセルラ電話、パーソナル・デジタル・アシスタント（ＰＤＡ）、ハンドヘルド・デバイス、無線モデム、ラップトップ・コンピュータ、パーソナル・コンピュータ等のような無線デバイスであることができる。
【００２４】
無線通信システム１００における基地局１０４とユーザ端末１０６との間の送信のために様々なアルゴリズム及び方法が用いられうる。例えば、ＯＦＤＭ／ＯＦＤＭＡ技術に従って、基地局１０４とユーザ端末１０６との間で信号が送受信されうる。この場合、無線通信システム１００は、ＯＦＤＭ／ＯＦＤＭＡシステムと称されうる。
【００２５】
基地局１０４からユーザ端末１０６への送信を可能にする通信リンクは、ダウンリンク１０８と称され、ユーザ端末１０６から基地局１０４への送信を可能にする通信リンクは、アップリンク１１０と称されうる。あるいは、ダウンリンク１０８は順方向リンク又は順方向チャネルと称され、アップリンク１１０は逆方向リンク又は逆方向チャネルと称されうる。
【００２６】
セル１０２は、複数のセクタ１１２に分割されうる。セクタ１１２は、セル１０２内の物理的カバレージ・エリアである。無線通信システム１００内の基地局１０４は、セル１０２の特定のセクタ１１２内の電力の流れを集めるアンテナを用いることができる。そのようなアンテナは、指向性アンテナと称されうる。
【００２７】
図２は、無線通信システム１００内で利用されうる無線デバイス２０２において用いることができる様々な構成要素を示す。無線デバイス２０２は、本明細書において説明される様々な方法を実施するように構成されうるデバイスの例である。無線デバイス２０２は、基地局１０４又はユーザ端末１０６であることができる。
【００２８】
無線デバイス２０２は、無線デバイス２０２の動作を制御するプロセッサ２０４を含むことができる。プロセッサ２０４は、中央処理ユニット（ＣＰＵ）とも称されうる。読取専用メモリ（ＲＯＭ）及びランダム・アクセス・メモリ（ＲＡＭ）両方を含むことができるメモリ２０６は、プロセッサ２０４に命令及びデータを提供する。メモリ２０６の一部は、不揮発性ランダム・アクセス・メモリ（ＮＶＲＡＭ）を含むこともできる。プロセッサ２０４は一般に、メモリ２０６内に格納されたプログラム命令に基づいて論理動作及び演算動作を実行する。メモリ２０６内の命令は、本明細書において説明される方法を実施するように実行可能である。
【００２９】
無線デバイス２０２はまた、無線デバイス２０２と遠隔局との間でのデータの送受信を可能にする送信機２１０及び受信機２１２を含みうるハウジング２０８を含むこともできる。送信機２１０及び受信機２１２は、組み合わせられてトランシーバ２１４となることができる。アンテナ２１６は、ハウジング２０８に取り付けられ、トランシーバ２１４に電気的に結合されうる。無線デバイス２０２はまた、（図示されないが）複数の送信機、複数の受信機、複数のトランシーバ、及び／又は複数のアンテナを含むこともできる。
【００３０】
無線デバイス２０２はまた、トランシーバ２１４によって受信された信号のレベルを検出及び量子化するために用いられうる信号検出器２１８を含むこともできる。信号検出器２１８は、そのような信号を、総計エネルギ、擬似雑音（ＰＮ）チップ毎のパイロット・エネルギ、電力スペクトル密度、及びその他の信号として検出することができる。無線デバイス２０２はまた、信号を処理するために用いられるデジタル信号プロセッサ（ＤＳＰ）２２０を含むこともできる。
【００３１】
無線デバイス２０２の様々な構成要素は、データ・バスの他に、電力バス、制御信号バス、及び状態信号バスを含むことができるバス・システム２２２によって、互いに結合されうる。
【００３２】
図３は、ＯＦＤＭ／ＯＦＤＭＡを用いる無線通信システム１００内で用いることができる送信機３０２の例を示す。送信機３０２の一部は、無線デバイス２０２の送信機２１０内に実装されうる。送信機３０２は、ダウンリンク１０８でユーザ端末１０６へデータ３０６を送信するために、基地局１０４内に実装されうる。送信機３０２はまた、アップリンク１１０で基地局１０４へデータ３０６を送信するために、ユーザ端末１０６内にも実装されうる。
【００３３】
送信されるデータ３０６は、直列並列（Ｓ／Ｐ）変換器３０８への入力として提供されることが図示される。Ｓ／Ｐ変換器３０８は、送信データをＮ個の並行したデータ・ストリーム３１０に分割することができる。
【００３４】
Ｎ個の並行したデータ・ストリーム３１０はその後、マッパ３１２への入力として提供されうる。マッパ３１２は、Ｎ個の並行したデータ・ストリーム３１０をＮ個の配置点（constellation point）にマップすることができる。このマッピングは、例えば２相位相変調（ＢＰＳＫ）、４相位相変調（ＱＰＳＫ）、８相位相変調（８ＰＳＫ）、直交振幅変調（ＱＡＭ）等のようないくつかの変調配置（constellation）を用いて行われうる。従って、マッパ３１２は、Ｎ個の並行したシンボル・ストリーム３１６を出力することができる。各シンボル・ストリーム３１６は、逆高速フーリエ変換（ＩＦＦＴ）３２０のＮ個の直交サブキャリアのうちの１つに対応する。それらＮ個の並行したシンボル・ストリーム３１６は、周波数領域において表わされ、ＩＦＦＴ構成要素３２０によって、Ｎ個の並行した時間領域サンプル・ストリームに変換されうる。
【００３５】
用語についての簡単な説明を提供する。周波数領域におけるＮ個の並行した変調は、周波数領域におけるＮ個の変調シンボルに等しく、これは、周波数領域におけるＮ個のマッピング及びＮ個のポイントのＩＦＦＴに等しく、これは、時間領域における１つの（有効な）ＯＦＤＭシンボルに等しく、これは、時間領域におけるＮ個のサンプルに等しい。時間領域における１つのＯＦＤＭシンボルＮｓは、Ｎｃｐ（ＯＦＤＭシンボルごとのガード・サンプルの数）＋Ｎ（ＯＦＤＭシンボルごとの有用なサンプルの数）に等しい。
【００３６】
Ｎ個の並行した時間領域サンプル・ストリーム３１８は、並列直列（Ｐ／Ｓ）変換器３２４によって、ＯＦＤＭ／ＯＦＤＭＡシンボル・ストリーム３２２に変換されうる。ガード挿入構成要素３２６は、ＯＦＤＭ／ＯＦＤＭＡシンボル・ストリーム３２２内の連続するＯＦＤＭ／ＯＦＤＭＡシンボル間にガード間隔を挿入することができる。ガード挿入構成要素３２６の出力はその後、ラジオ周波数（ＲＦ）フロント・エンド３２８によって、所望の送信周波数帯域にアップコンバートされうる。アンテナ３３０は、その結果生じた信号３３２を送信することができる。
【００３７】
図３はまた、ＯＦＤＭ／ＯＦＤＭＡを用いる無線デバイス２０２内で用いることができる受信機３０４の例を示す。受信機３０４の一部は、無線デバイス２０２の受信機２１２内に実装されうる。受信機３０４は、基地局１０４からのデータ３０６をダウンリンク１０８で受信するために、ユーザ端末１０６内に実装されうる。受信機３０４はまた、ユーザ端末１０６からのデータ３０６をアップリンク１１０で受信するために、基地局１０４内にも実装されうる。
【００３８】
送信された信号３３２は、無線チャネル３３４を介して移動することが示される。信号３３２’がアンテナ３３０’によって受信され、受信された信号３３２’は、ＲＦフロント・エンド３２８’によってベースバンド信号にダウンコンバートされうる。その後ガード除去構成要素３２６’は、ガード挿入構成要素３２６によってＯＦＤＭ／ＯＦＤＭＡシンボル間に挿入されたガード間隔を除去することができる。
【００３９】
ガード除去構成要素３２６’の出力は、Ｓ／Ｐ変換器３２４’へ提供されうる。Ｓ／Ｐ変換器３２４’は、ＯＦＤＭ／ＯＦＤＭＡシンボル・ストリーム３２２’を、各々がＮ個の直交サブキャリアのうちの１つに対応しているＮ個の並行した時間領域シンボル・ストリーム３１８’に分割することができる。高速フーリエ変換（ＦＦＴ）構成要素３２０’は、Ｎ個の並行した時間領域シンボル・ストリーム３１８’を周波数領域に変換し、Ｎ個の並行した周波数領域シンボル・ストリーム３１６’を出力することができる。
【００４０】
デマッパ３１２’は、マッパ３１２によって実行されたシンボル・マッピング動作の逆を実行し、それによってＮ個の並行したデータ・ストリーム３１０’を出力することができる。Ｐ／Ｓ変換器３０８’は、Ｎ個の並行したデータ・ストリーム３１０’を単一のデータ・ストリーム３０６’に結合することができる。このデータ・ストリーム３０６’は、送信機３０２への入力として提供されたデータ３０６に対応していることが理想である。
【００４１】
（モバイル・デバイスのためのＧＰＳ支援型セル選択）
【００４２】
モバイル局（ＭＳ）は、通信接続を失わずに１つの場所から別の場所へ移動することができ、１つの場所から別の場所への移動は、ＭＳとアクティブな基地局（ＢＳ）との接続を可能にする無線通信プロトコルによって達成されうる。ＭＳが、現在アクティブであるＢＳのカバレージ・エリアから出ると、キャンプ・オンするためのＢＳを見つけるためにセル選択又は再選択処理が開始され、ＭＳは現在のＢＳから新たなＢＳへとハンドオーバすることができる。セル選択又は再選択処理は、ネットワークによって、又はＭＳ自身によってトリガされうる。セル選択又は再選択処理は、ネットワークによる近隣ＢＳリストのブロードキャストに依存しうる。このリストは一般に、かなり大きいサイズである。
【００４３】
セル選択又は再選択処理がネットワークによってトリガされる場合、ネットワークは、ＭＳによって定期的に提供される測定レポートに基づいて新たなＢＳに変更することを、第３層（Ｌ３）セル変更命令メッセージによってＭＳに通知することができる。このアプローチの１つの問題点は、オペレータが他のオペレータとの契約同意を得なければ、ＭＳは、同一のオペレータによって動作されているＢＳにしかキャンプ・オンすることができず、異なるオペレータによってカバーされているＢＳにキャンプ・オンする機会が失われる点である。各ＢＳのオペレータを知らない場合、ブラインド・ハンドオーバが起こりうる。時にハンドオーバが失敗すると、ＭＳは、以前のアクティブなＢＳとのキャンプ・オンに戻り、別のＢＳとのハンドオーバを試みなければならない。
【００４４】
セル選択又は再選択処理がＭＳ自身によってトリガされる場合、ＭＳは、近隣ＢＳを定期的に識別し、例えばスキャニングによってそれらの信号を測定する必要がある。近隣のセルが、異なる周波数、異なる周波数帯域、又は例えばＷｉＭＡＸ、符号分割多元接続（ＣＤＭＡ）、次世代型データ最適化（ＥＶＤＯ）、あるいは１回ラジオ送信技術（１ｘＲＴＴ、又は単に１ｘ）のような異なるラジオ接続技術（ＲＡＴ）に属する場合、オーバヘッドの測定及び探索の時間が増加しうる。ＭＳは、ネットワークによってブロードキャストされた近隣ＢＳリストに依存することができる。いくつかの無線プロトコルにおいて、ネットワークはマルチモードをサポートすることができるが、他は単一モードしかサポートすることができない。ネットワークが現在単一モードしかサポートしていない場合、ＭＳが異なるＲＡＴをサポートすることができるかに関わらず、ネットワークは、同一のＲＡＴにおける近隣ＢＳ情報しか提供することができない。そのためＭＳは、ネットワークによってブロードキャストされたリスト内の同一のＲＡＴをサポートしている近隣ＢＳよりも強い信号又は高いサービス品質（ＱｏＳ）を有しうる、異なるＲＡＴをサポートしているＢＳにキャンプ・オンすることができない。
【００４５】
ＭＳは、ネットワーク・エントリのための可能性のあるサービス提供ＢＳを決定するためにネットワークによってブロードキャストされた近隣ＢＳ、起こりうるハンドオーバのための近隣ＢＳ候補、又は実際のハンドオーバのための近隣ＢＳの大きなサイズのリストを用いることができる。異なる規格リリース又はサブスクリプション特権（subscription privilege）を有しうるＢＳにＭＳがキャンプ・オンしようと試みた場合、ハンドオーバの失敗が発生する。ＭＳが、指定された近隣ＢＳの中から適切なＢＳ候補を見つけるために更なる処理を実行するので、ネットワーク・エントリ、スキャニング、又はハンドオーバに相当な時間がかかることがある。よって、近隣ＢＳリストのサイズを縮小すること、及びハンドオーバが失敗するシナリオを減少させることが望ましい。
【００４６】
図４は、ＭＳの観点から、縮小された近隣セットに従って、ＭＳがスキャン又はハンドオーバするための１つ又は複数の近隣ＢＳ候補を決定するための例示的な動作４００のフロー図である。動作４００は、４０２でＭＳのロケーションを決定することによって開始する。緯度及び経度によってＭＳのロケーションを示すために、例えば、ロケーションは、グローバル・ポジショニング・システム（ＧＰＳ）を用いて（ＧＰＳ機能を有するＭＳの場合）ＭＳ自身によって決定されうる。他の実施形態の場合、ＭＳは、ＭＳのロケーションを決定するために外部デバイス（例えば、車両ナビゲーション・システム、ハンドヘルドＧＰＳデバイス、又はＧＰＳソフトウェアを実行中のラップトップ・コンピュータ）と通信することができる。ＭＳと外部デバイスとの間の通信は、ケーブルを介して、又は無線（over the air）（ＯＴＡ）で実行されうる。ＧＰＳデバイスは、（軍用ではなく）商用の場合、測定時間及び他の要因による、約３メートルから１００メートルの不確かな範囲を有するので、ある実施形態の場合、ＭＳのロケーションは、ＧＰＳの不確実性及び／又は測定時間を考慮に入れることがある。
【００４７】
４０４で、図５に示すように、ＭＳのロケーションに基づいてＢＳ情報データベース５００から近隣ＢＳに関する情報が取得されうる。ＢＳ情報データベース５００は、例えばＭＳ内に収納される（例えばＭＳは、元々データベース５００を含んで製造され、販売されうる）か、ＭＳの内部データベースを更新するために定期的にブロードキャストされるか、あるいはネットワーク・オペレータのデータベース内に格納され、ＭＳからの要求に応じて提供されることができる。ＢＳ情報データベース５００がネットワーク・オペレータのデータベース内に格納されている場合、ＭＳは、（例えば、外部ＧＰＳデバイスから取得した）自身のロケーションを（例えば、サービス提供ＢＳを介して）ネットワークへ報告し、ネットワークにＢＳ情報データベースへの問合せをさせ、第３層（Ｌ３）又は上位層何れかの通信プロトコルを介して、近隣ＢＳに関する情報をＭＳへ送り戻すことができる。
【００４８】
緯度及び経度によってＢＳのロケーションを示すために、データベース５００内の記録は、  図６に示すような各ＢＳのロケーション情報（例えば、ＧＰＳ座標）６０２を含むことができる。各ＢＳのロケーションが変わることはほとんどないので、データベース５００によって提供された静的マッピングを通して近くのＢＳ全て（すなわち、近くのＢＳ又は近隣ＢＳ）を迅速に得るためにＭＳのロケーションを用いることができるように、ＢＳのロケーション６０２は、検索インデクスとして用いられうる。ロケーション６０２に加えて、データベース５００は、ＢＳを区別するための各ＢＳのユニークなＢＳ識別（ＢＳＩＤ）６０４を含むことができる。更に、データベースの記録は、ＢＳを特徴付け、各ＢＳが何のパラメータをサポートしうるかをＭＳに通知し、近くのＢＳのうちのどれがネットワーク・エントリ及び初期化動作、スキャニング動作、及び／又はハンドオーバ動作のためのより適切な候補となりうるかの決定においてＭＳを支援するために適切な情報を有する任意の組み合わせのフィールドを含むことができる。図６に示すように、データベース５００のそれらの情報フィールドは、サブスクリプション特権６０６、周波数６０８、周波数帯域（図示せず）、各ＢＳがサポートするプロトコルの規格リリース６１０、及びＢＳのラジオ接続技術（ＲＡＴ）６１２を含むことができる。
【００４９】
４０６において、近くのＢＳに関する情報がデータベース５００から取得された後、その情報は、ＭＳがスキャン又はハンドオーバするための１つ又は複数の近隣ＢＳ候補を選択するために用いられうる。すなわち、データベース・フィールドに含まれる情報は、ロケーションに基づくＭＳの近くの近隣ＢＳのリストを、データベース５００内で提供された少なくとも１つのＢＳ情報パラメータに基づく適切な近隣ＢＳ候補のリストのみに縮小するために用いることができる。１つ又は複数の近隣ＢＳ候補が識別された後、ＭＳは、ＭＳが例えばネットワーク・エントリ又はハンドオーバを実行するために最も適切なＢＳを更に識別するために、それらの指定されたＢＳ候補のうちの１つ又は複数において測定処理（例えば、スキャニング）を開始することができる。
【００５０】
図７乃至図１１は、例えばＭＳのようなユーザ端末１０６がスキャン又はハンドオーバするために、ＭＳ１０６のロケーションを知っている場合及び知らない場合、１つ又は複数の近隣ＢＳ候補が選択される移動シナリオを示す。図７乃至図１１において、斜線のないＢＳは、適切な近隣ＢＳ候補のリストに含まれており、斜線のついたＢＳは、以下で説明するような様々な理由によりリストに含まれていない。
【００５１】
図７において、６つのＢＳ全てに関して周波数帯域及びＲＡＴは同じである。ＧＰＳ支援がない場合、適切な近隣ＢＳ候補のリストは、近隣ＢＳ１０４（ＢＳ１乃至ＢＳ６）全てを含みうる。ＧＰＳ支援がある場合、６つのＢＳ全てに関して周波数帯域及びＲＡＴが同じなので、１つ又は複数の近隣ＢＳ候補の選択は、ロケーションのみに基づくことができる。近隣ＢＳのロケーション６０２は、どのＢＳがＭＳからのある閾値距離内にあるかを決定するために用いることができる。図７において、ＢＳ１、ＢＳ２、及びＢＳ６は、ＭＳからのある閾値距離内にあるので、それらがスキャニングのための近隣ＢＳ候補として選択される。スキャニングのための近隣ＢＳ候補の総数を減らすことにより、各測定期間における時間を短縮することができ、ＭＳがスリープ・モードである場合、スリープ・ウインドウを増加させることができる。
【００５２】
図８において、ＲＡＴは６つのＢＳ全てに関して同じであるが、周波数帯域は異なる。ＧＰＳ支援がない場合、セルの選択又は再選択処理は、同じ周波数帯域に位置するＢＳに好都合である。よって、ＭＳが第１の帯域（帯域１）で動作していると仮定すると、ＢＳ５又はＢＳ６は第２の帯域（帯域２）で動作しているので近隣ＢＳ候補として選択されないだろう。ＧＰＳ支援がある場合、ＭＳは異なる帯域及び周波数をサポートすることができるので、ＢＳ６は、異なる帯域で動作しているが、ＢＳ１及びＢＳ２と同様ＭＳからのある閾値距離内にあるので近隣ＢＳ候補として選択されうる。ＢＳ５は、ＢＳ３及びＢＳ４と同様、閾値距離を超えているので、測定処理に含まれないだろう。
【００５３】
図９において、周波数帯域及びＲＡＴは６つのＢＳ全てについて異なる。ＧＰＳ支援がない場合、セルの選択又は再選択処理は、同じＲＡＴで動作しているＢＳに好都合である。ネットワークが現在単一モードをサポートしている場合、ネットワークは、ＭＳが異なるＲＡＴをサポートすることができるかに関わらず、同じＲＡＴ内の近隣ＢＳ情報しか提供できない。よって、ＭＳがＲＡＴ１のネットワーク上にあると仮定すると、ＢＳ５及びＢＳ６はＲＡＴ２のＢＳであるので、スキャンするための近隣ＢＳ候補として選択されないだろう。ＧＰＳ支援がある場合、ＢＳ５及びＢＳ６は、ＭＳからの閾値距離内にあるので、異なるＲＡＴネットワークにも関わらず近隣ＢＳ候補として選択されるだろう。現在の技術を用いると、ＢＳが同じＲＡＴにあっても異なるＲＡＴにあっても、ＭＳが新たなＢＳを識別するのに問題はないだろう。ＢＳ２及びＢＳ３は、現在ＭＳがいるＲＡＴ１のネットワークで動作しているが、ＭＳからの閾値距離を超えているので近隣ＢＳ候補として選択されないだろう。
【００５４】
ＭＳは、無条件の特権によってＢＳにキャンプ・オンすることはできない。図１０において、ＧＰＳ支援がない場合、セルの選択又は再選択処理は、システムのブロードキャストを通して近隣ＢＳに関する特権情報を提供することができない。そのため、例えばＭＳは特権２を与えられていないので、キャンプ・オンしているＢＳ２、ＢＳ４、又はＢＳ５は後に拒絶されうるにもかかわらず、ＢＳ１乃至ＢＳ６が適切な近隣ＢＳ候補として選択されうる。この特徴は、加入者同定モジュール（Subscriber Identity Module：ＳＩＭ）カード・タイプの加入者サービスを用いるＭＳにとって致命的であり、時に無条件の特権によってＭＳを以前のキャンプＢＳに後退させることがある。ＭＳは、キャンプ・オンするための新たなＢＳを選択しなければならず、それによって連続ハンドオーバ・トランザクション時間の合計が著しく増加しうる。ＧＰＳ支援がある場合、近隣ＢＳに関するＢＳ情報がデータベース５００から取得された後、ＭＳがどの近隣ＢＳにアクセスできる特権を有するかを決定するために各近隣ＢＳによって与えられたサブスクリプション特権６０６が用いられうる。よって、ＭＳが、特権１を与える近隣ＢＳにアクセスすることができると仮定すると、ＢＳ２、ＢＳ４、及びＢＳ５は特権２を与えるので、スキャニングに関する近隣ＢＳ候補からフィルタされうる。
【００５５】
特権と同様、ＭＳがサポートできない規格リリース６１０を有する近隣ＢＳは、セルの選択及び再選択処理に関する近隣ＢＳ候補からフィルタされる。図１１において、ＧＰＳ支援がない場合、ＢＳ２、ＢＳ３、及びＢＳ５は、この例において規格リリースＲ９９及びＲ５しかサポートしないＭＳによってサポートされることができないが、全ての近隣ＢＳが近隣ＢＳ候補として選択されうる。ＧＰＳ支援がある場合、ＢＳ２、ＢＳ３、及びＢＳ５は、ＭＳと異なる規格リリースをサポートするので、測定処理のために考慮される近隣ＢＳ候補からフィルタされうる。
【００５６】
上述した方法の様々な動作は、図面において示された手段プラス機能ブロックに対応する様々なハードウェア及び／又はソフトウェア・コンポーネント及び／又はモジュールによって実行されうる。一般に、図に示された方法が、対応する対となる手段プラス機能図を有する場合、動作ブロックは、同様の番号を有する手段プラス機能ブロックに対応する。例えば、図４に示されたブロック４０２乃至４０６は、図４Ａに示された手段プラス機能ブロック４０２Ａ乃至４０６Ａに対応する。
【００５７】
本明細書において用いられる場合、「決定する」という用語は、広く様々な動作を包含する。例えば、「決定する（determining）」は、計算する（calculating）、計算する（computing）、処理する、導出する、調査する、ルック・アップする（例えば、表、データベース、あるいは別のデータ構成内でルック・アップする）、確かめる等を含むことができる。また、「決定する」は、受信する（例えば、情報を受信する）、アクセスする（例えば、メモリ内のデータにアクセスする）等を含むこともできる。また、「決定する」は、分解する、選択する（selecting）、選ぶ（choosing）、確立する等を含むこともできる。
【００５８】
情報及び信号は、様々な異なる技術及び技法の何れかを用いて表わされうる。例えば、上記説明を通して参照されうるデータ、命令、コマンド、情報、信号等は、電圧、電流、電磁波、磁場あるいは磁気粒子、光場あるいは光学粒子、又はそれらの任意の組み合わせによって表わすことができる。
【００５９】
本開示に関連して記載された例示となる様々な論理ブロック、モジュール、及び回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス（ＰＬＤ）、ディスクリート・ゲートあるいはトランジスタ・ロジック、ディスクリート・ハードウェア部品、又は本明細書に記載された機能を実行するように設計されたそれらの任意の組み合わせを用いて実現又は実行されうる。汎用プロセッサとしてマイクロプロセッサを用いることができるが、代わりに、任意の商用に利用可能なプロセッサ、コントローラ、マイクロコントローラ、または状態機器を用いることもできる。あるいはプロセッサは、例えばＤＳＰとマイクロプロセッサとの組み合わせ、複数のマイクロプロセッサ、ＤＳＰコアに接続された１つ又は複数のマイクロプロセッサ、又は他の任意のそのような構成である計算デバイスの組み合わせとして実装されうる。
【００６０】
本開示に関連して記載された方法及びアルゴリズムのステップは、ハードウェアによって直接、１つ又は複数のプロセッサによって実行されるソフトウェア・モジュールによって、又はそれら２つの組み合わせによって具現化されうる。ソフトウェア・モジュールは、当該技術分野において知られている任意の形式の記憶媒体に収納されうる。用いることができる記憶媒体のいくつかの例は、ランダム・アクセス・メモリ（ＲＡＭ）、読取専用メモリ（ＲＯＭ）、フラッシュ・メモリ、ＥＰＲＯＭメモリ、ＥＥＰＲＯＭメモリ、レジスタ、ハード・ディスク、リムーバブル・ディスク、ＣＤ−ＲＯＭ等を含む。ソフトウェア・モジュールは、単一の命令又は多数の命令を備えることができ、いくつかの異なるコード区分、異なるプログラム、及び複数の記憶媒体に散在することができる。記憶媒体は、プロセッサがそこから情報を読み取り、またそこに情報を書き込むことができるように、プロセッサに結合されうる。あるいは、記憶媒体はプロセッサに統合されうる。
【００６１】
本明細書に開示された方法は、記載された方法を達成するための１つ又は複数のステップ又はアクションを含む。方法ステップ及び／又はアクションは、特許請求の範囲から逸脱することなく互いに置き換えることができる。すなわち、ステップ又はアクションの特定の順序が指定されない限り、特定のステップ及び／又はアクションの順序及び／又は使用は、特許請求の範囲から逸脱することなく変更されうる。
【００６２】
説明された機能は、ハードウェア、ソフトウェア、ファームウェア、又はそれらの任意の組み合わせによって実行することができる。ソフトウェアによる実行の場合、機能は、コンピュータ読取可能媒体上の１つ又は複数の命令として格納されうる。記憶媒体は、コンピュータによってアクセスすることができる任意の利用可能な媒体でありうる。限定ではなく一例として、そのようなコンピュータ読取可能媒体は、ＲＡＭ、ＲＯＭ、ＥＥＰＲＯＭ、ＣＤ−ＲＯＭあるいはその他の光学ディスク記憶媒体、磁気ディスク記憶媒体あるいはその他の磁気記憶デバイス、又は、命令又はデータ構成の形式で所望のプログラム・コードを搬送あるいは格納するために用いることができ、コンピュータによってアクセスすることができるその他任意の媒体を含むことができる。本明細書で用いられるようなディスク及びディスクは、コンパクト・ディスク（disc）（ＣＤ）、レーザ・ディスク（disc）、光学ディスク（disc）、デジタル・バーサタイル・ディスク（disc）（ＤＶＤ）、フロッピー（登録商標）・ディスク（disk）、及びブルーレイ（登録商標）ディスク（disc）を含む。ディスク（disk）は通常、データを磁気的に再生し、ディスク（disc）はレーザを用いてデータを光学的に再生する。
【００６３】
ソフトウェア又は命令は、送信媒体を介して送信することもできる。例えばソフトウェアが、ウェブサイト、サーバ、あるいは他の遠隔ソースから、同軸ケーブル、光ファイバ・ケーブル、ツイスト・ペア、デジタル加入者線（ＤＳＬ）、又は例えば赤外線、ラジオ、及びマイクロ波のような無線技術を用いて送信された場合、同軸ケーブル、光ファイバ・ケーブル、ツイスト・ペア、デジタルＤＳＬ、又は例えば赤外線、ラジオ、及びマイクロ波のような無線技術は、送信媒体の定義に含まれる。
【００６４】
更に、本明細書に記載された方法及び技術を実行するためのモジュール及び／又は他の適切な手段は、適宜、ユーザ端末及び／又は基地局によって取得する及び／又はダウンロードすることができる。例えば、そのようなデバイスは、本明細書に記載された方法を実行するための手段の転送を可能とするために、サーバに接続することができる。あるいは、本明細書に記載された様々な方法は、ユーザ端末及び／又は基地局が記憶手段をデバイスに結合又は提供することにより様々な方法を得ることができるように、記憶手段（例えば、ＲＡＭ、ＲＯＭ、又は例えばコンパクト・ディスク（ＣＤ）あるいはフロッピー・ディスク等のような物理記憶媒体）を介して提供されうる。更に、本明細書に記載された方法及び技術をデバイスに提供するためのその他任意の適切な技術が用いられうる。
【００６５】
特許請求の範囲は、上述された構成及び構成要素にそのまま限定されるのではない。特許請求の範囲から逸脱することなく、上述された方法及び装置の構成、動作、及び詳細において、様々な修正、変更、及び変形例が作られうる。
以下に、本願出願の当初の特許請求の範囲に記載された発明を付記する。
［Ｃ１］
モバイル局（ＭＳ）がハンドオーバのためにスキャンするための１つ又は複数の近隣基地局（ＢＳ）候補を決定する方法であって、
前記ＭＳのロケーションに基づいて、１つ又は複数の近くの基地局に関する情報をＢＳ情報データベースから取得することと、
前記情報に基づいて、前記１つ又は複数の近くの基地局から１つ又は複数の近隣ＢＳ候補を選択することと、
前記近隣ＢＳ候補のうちの少なくとも１つをスキャンすることと
を含む方法。
［Ｃ２］
グローバル・ポジショニング・システム（ＧＰＳ）を用いて前記ＭＳのロケーションを決定することを更に含む、Ｃ１に記載の方法。
［Ｃ３］
前記ＭＳのロケーションを決定することは、前記ＭＳの外部のＧＰＳデバイスと通信することを含む、Ｃ２に記載の方法。
［Ｃ４］
前記ＭＳのロケーションはＧＰＳ座標を含む、Ｃ２に記載の方法。
［Ｃ５］
前記ＢＳ情報データベースは、前記ＭＳ内に格納されるか、ネットワーク・オペレータのデータベース内に格納される、Ｃ１に記載の方法。
［Ｃ６］
前記近くの基地局のうちの１つへ前記ＭＳのロケーションを送信することと、
前記近くの基地局のうちの１つからのＢＳ情報データベースを受信することとを更に含む、Ｃ１に記載の方法。
［Ｃ７］
ネットワーク・オペレータのＢＳ情報データベースの少なくとも一部を定期的に受信することと、
前記ＭＳの内部で保持される前記ＢＳ情報データベースの少なくとも一部を、前記受信されたネットワーク・オペレータのＢＳ情報データベースを用いて更新することとを更に含む、Ｃ１に記載の方法。
［Ｃ８］
前記１つ又は複数の近くの基地局に関する情報を前記ＢＳ情報データベースから取得することは、
前記ＢＳ情報データベースにおいて提供される複数の基地局のロケーションと、前記ＭＳのロケーションとの間の距離を計算することと、
前記ＭＳのロケーションとの計算された距離が閾値を下回る、前記複数の基地局のうちの何れかを前記１つ又は複数の近くの基地局にグループ化することとを含む、Ｃ１に記載の方法。
［Ｃ９］
前記情報は、前記１つ又は複数の近くの基地局の各々についてのロケーションを含む、Ｃ１に記載の方法。
［Ｃ１０］
前記１つ又は複数の近隣ＢＳ候補を選択することは、前記ＭＳがサポートすることができるパラメータを有する、前記１つ又は複数の近くの基地局のうちの何れかを前記１つ又は複数の近隣ＢＳ候補にグループ化することを備え、前記ＢＳ情報データベースから取得された情報が前記パラメータを含む、Ｃ１に記載の方法。
［Ｃ１１］
前記パラメータは、前記１つ又は複数の近くの基地局の各々について、ＢＳ識別（ＢＳＩＤ）、サブスクリプション特権、周波数、周波数帯域、規格リリース、及びラジオ接続技術（ＲＡＴ）のうちの少なくとも１つを含む、Ｃ１０に記載の方法。
［Ｃ１２］
モバイル・デバイスのロケーションに基づいて、１つ又は複数の近くの基地局に関する情報を基地局（ＢＳ）情報データベースから取得するためのロジックと、
前記情報に基づいて、前記１つ又は複数の近くの基地局から１つ又は複数の近隣ＢＳ候補を選択するためのロジックと、
前記近隣ＢＳ候補のうちの少なくとも１つをスキャンするためのロジックとを備えるモバイル・デバイス。
［Ｃ１３］
グローバル・ポジショニング・システム（ＧＰＳ）を用いて前記モバイル・デバイスのロケーションを決定するためのロジックを更に備える、Ｃ１２に記載のモバイル・デバイス。
［Ｃ１４］
前記モバイル・デバイスのロケーションを決定することは、前記モバイル・デバイスの外部のＧＰＳデバイスと通信することを含む、Ｃ１３に記載のモバイル・デバイス。
［Ｃ１５］
前記モバイル・デバイスのロケーションはＧＰＳ座標を含む、Ｃ１３に記載のモバイル・デバイス。
［Ｃ１６］
前記ＢＳ情報データベースは、前記モバイル・デバイス内に格納されるか、ネットワーク・オペレータのデータベース内に格納される、Ｃ１２に記載のモバイル・デバイス。
［Ｃ１７］
前記近くの基地局のうちの１つへ前記モバイル・デバイスのロケーションを送信するように構成された送信機と、
前記近くの基地局のうちの１つからの前記ＢＳ情報データベースを受信するように構成された受信機と
を更に備える、Ｃ１２に記載のモバイル・デバイス。
［Ｃ１８］
ネットワーク・オペレータのＢＳ情報データベースの少なくとも一部を定期的に受信するように構成された受信機と、
前記モバイル・デバイスの内部で保持される前記ＢＳ情報データベースの少なくとも一部を、前記受信されたネットワーク・オペレータのＢＳ情報データベースを用いて更新するためのロジックと
を更に備える、Ｃ１２に記載のモバイル・デバイス。
［Ｃ１９］
前記１つ又は複数の近くの基地局に関する情報を前記ＢＳ情報データベースから取得するためのロジックは、
前記ＢＳ情報データベースにおいて提供される複数の基地局のロケーションと、前記モバイル・デバイスのロケーションとの間の距離を計算するためのロジックと、
前記モバイル・デバイスのロケーションとの計算された距離が閾値を下回る、前記複数の基地局のうちの何れかを前記１つ又は複数の近くの基地局にグループ化するためのロジックとを備える、Ｃ１２に記載のデバイス。
［Ｃ２０］
前記情報は、前記１つ又は複数の近くの基地局の各々についてのロケーションを含む、Ｃ１２に記載のモバイル・デバイス。
［Ｃ２１］
前記１つ又は複数の近隣ＢＳ候補を選択するためのロジックは、前記モバイル・デバイスがサポートすることができるパラメータを有する、前記１つ又は複数の近くの基地局のうちの何れかを前記１つ又は複数の近隣ＢＳ候補にグループ化するためのロジックを備え、前記ＢＳ情報データベースから取得された情報が前記パラメータを含む、Ｃ１２に記載のモバイル・デバイス。
［Ｃ２２］
前記パラメータは、前記１つ又は複数の近くの基地局の各々について、ＢＳ識別（ＢＳＩＤ）、サブスクリプション特権、周波数、周波数帯域、規格リリース、及びラジオ接続技術（ＲＡＴ）のうちの少なくとも１つを含む、Ｃ２１に記載のモバイル・デバイス。
［Ｃ２３］
無線通信のための装置であって、
前記装置のロケーションに基づいて、１つ又は複数の近くの基地局に関する情報を基地局（ＢＳ）情報データベースから取得するための手段と、
前記情報に基づいて、前記１つ又は複数の近くの基地局から１つ又は複数の近隣ＢＳ候補を選択するための手段と、
前記近隣ＢＳ候補のうちの少なくとも１つをスキャンするための手段と
を備える装置。
［Ｃ２４］
グローバル・ポジショニング・システム（ＧＰＳ）を用いて前記装置のロケーションを決定するための手段を更に備える、Ｃ２３に記載の装置。
［Ｃ２５］
前記装置のロケーションを決定するための手段は、前記装置の外部のＧＰＳデバイスと通信するための手段を備える、Ｃ２４に記載の装置。
［Ｃ２６］
前記装置のロケーションはＧＰＳ座標を含む、Ｃ２４に記載の装置。
［Ｃ２７］
前記ＢＳ情報データベースは、前記装置内に格納されるか、ネットワーク・オペレータのデータベース内に格納される、Ｃ２３に記載の装置。
［Ｃ２８］
前記近くの基地局のうちの１つへ、前記装置のロケーションを送信するための手段と、  前記近くの基地局のうちの１つからの前記ＢＳ情報データベースを受信するための手段と
を更に備える、Ｃ２３に記載の装置。
［Ｃ２９］
ネットワーク・オペレータのＢＳ情報データベースの少なくとも一部を定期的に受信するための手段と、
前記装置の内部で保持される前記ＢＳ情報データベースの少なくとも一部を、前記受信されたネットワーク・オペレータのＢＳ情報データベースを用いて更新するための手段とを更に備える、Ｃ２３に記載の装置。
［Ｃ３０］
前記１つ又は複数の近くの基地局に関する情報を前記ＢＳ情報データベースから取得するための手段は、
前記ＢＳ情報データベースにおいて提供される複数の基地局のロケーションと、前記装置のロケーションとの間の距離を計算するための手段と、
前記装置のロケーションとの計算された距離が閾値を下回る、前記複数の基地局のうちの何れかを前記１つ又は複数の近くの基地局にグループ化するための手段と
を備えるＣ２３に記載の装置。
［Ｃ３１］
前記情報は、前記１つ又は複数の近くの基地局の各々についてのロケーションを含む、Ｃ２３に記載の装置。
［Ｃ３２］
前記１つ又は複数の近隣ＢＳ候補を選択するための手段は、前記装置がサポートすることができるパラメータを有する、前記１つ又は複数の近くの基地局のうちの何れかを前記１つ又は複数の近隣ＢＳ候補にグループ化するための手段を備え、前記ＢＳ情報データベースから取得された情報が前記パラメータを含む、Ｃ２３に記載の装置。
［Ｃ３３］
前記パラメータは、前記１つ又は複数の近くの基地局の各々について、ＢＳ識別（ＢＳＩＤ）、サブスクリプション特権、周波数、周波数帯域、規格リリース、及びラジオ接続技術（ＲＡＴ）のうちの少なくとも１つを含む、Ｃ３２に記載の装置。
［Ｃ３４］
モバイル局（ＭＳ）がスキャン又はハンドオーバするための１つ又は複数の近隣基地局（ＢＳ）候補を決定するためのコンピュータ・プログラム製品であって、格納された命令を有するコンピュータ読取可能媒体を備え、前記命令は、１つ又は複数のプロセッサによって実行可能であり、前記命令は、
前記ＭＳのロケーションに基づいて、１つ又は複数の近くの基地局に関する情報をＢＳ情報データベースから取得するための命令と、
前記情報に基づいて、前記１つ又は複数の近くの基地局から１つ又は複数の近隣ＢＳ候補を選択するための命令と、
前記近隣ＢＳ候補のうちの少なくとも１つをスキャンするための命令と
を備える、コンピュータ・プログラム製品。
［Ｃ３５］
グローバル・ポジショニング・システム（ＧＰＳ）を用いて前記ＭＳのロケーションを決定するための命令を更に備える、Ｃ３４に記載のコンピュータ・プログラム製品。
［Ｃ３６］
前記ＭＳのロケーションを決定するための命令は、前記ＭＳの外部のＧＰＳデバイスと通信するための命令を備える、Ｃ３５に記載のコンピュータ・プログラム製品。
［Ｃ３７］
前記ＭＳのロケーションはＧＰＳ座標を備える、Ｃ３５に記載のコンピュータ・プログラム製品。
［Ｃ３８］
前記ＢＳ情報データベースは、前記ＭＳ内に格納されるか、ネットワーク・オペレータのデータベース内に格納される、Ｃ３４に記載のコンピュータ・プログラム製品。
［Ｃ３９］
前記近くの基地局のうちの１つへ前記ＭＳのロケーションを送信するための命令と、  前記近くの基地局のうちの１つからの前記ＢＳ情報データベースを受信するための命令と
を更に備える、Ｃ３４に記載のコンピュータ・プログラム製品。
［Ｃ４０］
ネットワーク・オペレータのＢＳ情報データベースの少なくとも一部を定期的に受信するための命令と、
前記受信されたネットワーク・オペレータのＢＳ情報データベースを用いて、前記ＭＳ内で保持される前記ＢＳ情報データベースの少なくとも一部を更新するための命令と
を更に備える、Ｃ３４に記載のコンピュータ・プログラム製品。
［Ｃ４１］
前記１つ又は複数の近くの基地局に関する情報を前記ＢＳ情報データベースから取得するための命令は、
前記ＢＳ情報データベースにおいて提供される複数の基地局のロケーションと、前記ＭＳのロケーションとの間の距離を計算するための命令と、
前記ＭＳのロケーションとの計算された距離が閾値を下回る、前記複数の基地局のうちの何れかを前記１つ又は複数の近くの基地局にグループ化するための命令と
を備える、Ｃ３４に記載のコンピュータ・プログラム製品。
［Ｃ４２］
前記情報は、前記１つ又は複数の近くの基地局の各々についてのロケーションを含む、Ｃ３４に記載のコンピュータ・プログラム製品。
［Ｃ４３］
前記１つ又は複数の近隣ＢＳ候補を選択するための命令は、前記ＭＳがサポートすることができるパラメータを有する、前記１つ又は複数の近くの基地局のうちの何れかを前記１つ又は複数の近隣ＢＳ候補にグループ化するための命令を備え、前記ＢＳ情報データベースから取得された情報が前記パラメータを含む、Ｃ３４に記載のコンピュータ・プログラム製品。
［Ｃ４４］
前記パラメータは、前記１つ又は複数の近くの基地局の各々について、ＢＳ識別（ＢＳＩＤ）、サブスクリプション特権、周波数、周波数帯域、規格リリース、及びラジオ接続技術（ＲＡＴ）のうちの少なくとも１つを含む、Ｃ４３に記載のコンピュータ・プログラム製品。
【図１】
0005539374.tif 000002
【図２】
0005539374.tif 000003
【図３】
0005539374.tif 000004
【図４】
0005539374.tif 000005
【図４Ａ】
0005539374.tif 000006
【図５】
0005539374.tif 000007
【図６】
0005539374.tif 000008
【図７】
0005539374.tif 000009
【図８】
0005539374.tif 000010
【図９】
0005539374.tif 000011
【図１０】
0005539374.tif 000012
【図１１】
0005539374.tif 000013